(57)【特許請求の範囲】
【請求項１】
エレクトロクロミックデバイスと、
第１の透明導電層と、
前記第１の透明導電層に結合された第１のバスバーと、
前記第１のバスバーに結合された第１の電力供給端子と、
前記第１のバスバーに結合された第２の電力供給端子と、
制御デバイスと、を備える装置であって、
前記第１のバスバーの抵抗が、前記第１の電力供給端子と前記第２の電力供給端子との間の電気的短絡を防止する抵抗を有し、
前記制御デバイスは、前記第１及び第２の電力供給端子が同じ期間中に異なる電圧にあるように制御し、
前記エレクトロクロミックデバイスは、前記同じ期間中に前記エレクトロクロミックデバイスの連続勾配透過状態を維持する、装置。
【請求項２】
本体を有し、前記第１の透明導電層に結合された第２のバスバーと、
前記第１のバスバーと前記第２のバスバーとの間の第１の間隙であって、前記第１のバスバーは本体を有し、前記第１のバスバーの本体と前記第２のバスバーの本体との間の距離の少なくとも１０％である第１の間隙と
を更に備える、請求項１に記載の装置。
【請求項３】
前記第１のバスバー、前記第２のバスバー、又は前記第１及び第２のバスバーの各々は、前記本体から前記第１のバスバーと前記第２バスバーとの間の部分に延伸する延長部を含み、前記間隙は、前記本体と比較して前記延長部により近い、請求項２に記載の装置。
【請求項４】
前記第１の透明導電層に結合され、前記第１のバスバーと前記第２のバスバーとの間に配された第３のバスバーを更に備え、
前記第１のバスバーは、前記第１の間隙によって前記第３のバスバーから離間し、
前記第２のバスバーは、第２の間隙によって前記第３のバスバーから離間している、
請求項２に記載の装置。
【請求項５】
第２の透明導電層と、
前記第２の透明導電層に結合された第３のバスバーと、
前記第１の透明導電層と前記第２の透明導電層との間に配置されたエレクトロクロミック層と
を更に備える、請求項２に記載の装置。
【請求項６】
前記第２の透明導電層に結合された第４のバスバーを更に備え、前記第１の透明導電層と前記第２の透明導電層とは、対向する位置に配され、前記第１のバスバーは、前記第３のバスバーの上にあり、前記第２のバスバーは、前記第４のバスバーの上にある、請求項５に記載の装置。
【請求項７】
前記第２のバスバーに結合された第３の電力供給端子と、
前記第２のバスバーに結合された第４の電力供給端子と
を更に備え、
前記同じ期間中に、前記装置は、前記第３及び第４の電力供給端子が異なる電圧にあるように構成されている、請求項２に記載の装置。
【請求項８】
前記第１のバスバーは、前記第１の電力供給端子と前記第２の電力供給端子との間に実質的に均一な断面積を有する、請求項１に記載の装置。
【請求項９】
前記エレクトロクロミックデバイスは、前記連続勾配透過状態に維持された第１の部分と、実質的に均一な透過状態に維持された第２の部分とを有するように構成されている、請求項１〜８の何れか一項に記載の装置。
【請求項１０】
前記エレクトロクロミックデバイスは、前記デバイスの任意の部分が前記連続勾配透過状態に維持される場合に、実質的に均一な透過状態に維持された任意の部分を有しないように構成されている、請求項１〜８の何れか一項に記載の装置。
【請求項１１】
請求項１に記載の装置を動作させる方法であって、
前記エレクトロクロミックデバイスを第１の透過状態から連続勾配透過状態に切り換えるステップであって、前記エレクトロクロミックデバイスを前記第１の透過状態から前記連続勾配透過状態に切り換える間に、前記エレクトロクロミックデバイスは最大又は平均の第１の電流を有する、ステップと、
前記連続勾配透過状態を維持するステップであって、前記連続勾配透過状態を維持する間に、前記エレクトロクロミックデバイスは、最大又は平均の第２の電流を有し、前記最大又は平均の第２の電流は、前記最大又は平均の第１の電流より小さい、ステップと
を含む方法。
【請求項１２】
請求項２に記載の装置を動作させる方法であって、
前記第１のバスバーを第１の電圧にバイアスするステップと、
前記第２のバスバーを前記第１の電圧とは異なる第２の電圧にバイアスするステップと、
前記第１のバスバーを前記第１の電圧に維持し、且つ前記第２のバスバーを前記第２の電圧に維持するステップであって、前記間隙は、連続勾配透過状態を有する前記エレクトロクロミックデバイスの第１の部分に対応する、ステップと
を含む方法。
【請求項１３】
前記第１のバスバーを前記第１の電圧に維持し、且つ前記第２のバスバーを前記第２の電圧に維持するステップは、前記第２のバスバーに隣接する前記エレクトロクロミックデバイスの第２の部分が第１の実質的に均一な透過状態を有するように行われる、請求項１２に記載の方法。
【発明の詳細な説明】
【技術分野】
【０００１】
本開示は装置に関し、より具体的にはエレクトロクロミックデバイスを含む装置及びそれを使用する方法に関する。
【背景技術】
【０００２】
エレクトロクロミックデバイスは、車両の部屋又は客室に入る太陽光の量を減少させることができる。従来、エレクトロクロミックデバイスの全ては特定の透過状態になることができる。例えば、エレクトロクロミックデバイスの全てが０％着色にあってもよく、全てが１００％着色にあってもよく、又は全てが２つの間の値にあってもよい。窓ガラスは、異なる個別のエレクトロクロミックデバイスで形成されてもよく、それぞれはそれ自体の一対のバスバーによって制御される。異なるエレクトロクロミックデバイスはそれぞれ異なる透過状態に制御することができる。例えば、窓ガラスの上部近くのエレクトロクロミックデバイスは１００％着色にあってもよく、窓ガラスの底部近くの別のエレクトロクロミックデバイスは０％着色にあってもよく、他の２つのエレクトロクロミックデバイス間の更なるエレクトロクロミックデバイスは５０％着色にあってもよい。エレクトロクロミックデバイスの着色に関する制御における更なる向上が望ましい。
【先行技術文献】
【特許文献】
【０００３】
【特許文献１】米国特許出願公開第２０１４／０１７７０２８号明細書
【発明の概要】
【課題を解決するための手段】
【０００４】
実施形態は例として示され、添付の図面に限定されない。
【図面の簡単な説明】
【０００５】
【図１】基板、エレクトロクロミックデバイスのための積み重ねの層、及びバスバーの一部の断面図の実例を含む。
【図２】基板、積み重ねの層、及びバスバーの上面図の実例を含む。
【図３】基板、及びエレクトロクロミックデバイスを含む絶縁ガラスユニットの断面図の実例を含む。
【図４】エレクトロクロミックデバイス、エネルギー源、制御デバイス、及び入力／出力ユニットを含む装置の概略図を含む。
【図５】一実施形態による電圧供給端子を含む図２の構造体の上面図の実例を含む。
【図６】別の実施形態による電圧供給端子を含む図２の構造体の上面図の実例を含む。
【図７】図５の下部構造体の例示的で非限定的な動作のためのタイミング図を含む。
【図８】完全脱色透過状態にある場合の図５の構造体の上面図の実例を含む。
【図９】完全着色透過状態にある場合の図５の構造体の上面図の実例を含む。
【図１０】最も高い透過率がデバイスの底部近くにある、連続勾配透過状態にある場合の図５の構造体の上面図の実例を含む。
【図１１】最も高い透過率がデバイスの上部近くにある、連続勾配透過状態にある場合の図５の構造体の上面図の実例を含む。
【図１２】代替の実施形態による連続勾配透過状態にある場合の図５の構造体の上面図の実例を含む。
【図１３】エレクトロクロミックデバイスの一部が連続勾配透過状態にある部分と実質的に均一な透過状態にある別の部分とを含む場合の図５の構造体の上面図の実例を含む。
【図１４】更なる代替の実施形態による連続勾配透過状態にある場合の図５の構造体の上面図の実例を含む。
【図１５】別の実施形態による部分的に分解された構造体の斜視図の実例を含む。
【図１６】一実施形態による延長部及び延長部間の間隙を有するバスバーを含む構造体の上面図の実例を含む。
【図１７】別の実施形態による延長部及び延長部間の間隙を有するバスバーを含む構造体の上面図の実例を含む。
【図１８】更なる実施形態による、延長部を有するバスバー、延長部間の離間バスバー、及び延長部と離間バスバーとの間の間隙を含む構造体の上面図の実例を含む。
【図１９】別の実施形態による、延長部を有さないバスバー、離間バスバー、及びバスバー間の間隙を含む構造体の上面図の実例を含む。
【図２０】更なる実施形態による、離間バスバーへの電気的接続を有しない図１８の構造体の上面図の実例を含む。
【図２１】一実施形態による、間隙の長さの配向が水平方向である、延長部を有するバスバー、及び延長部間の間隙を含む構造体の上面図の実例を含む。
【図２２】標準幅を有する相対的主要部分と、主要部分間の相対的薄質部分とを有するバスバーを含む構造体の上面図の実例を含む。
【発明を実施するための形態】
【０００６】
当業者は、図面における要素が単純さ及び明確さのために例示され、必ずしも縮尺通りで描かれていないことを理解する。例えば、図面における要素の幾つかの寸法は、本発明の実施形態の理解を向上させることを手助けするために他の要素に対して誇張される場合がある。
【０００７】
図面と組み合わせた以下の説明は、本明細書に開示される教示を理解することを支援するために提供される。以下の考察は、本教示の具体的な実装形態及び実施形態に焦点を合わせる。この焦点は、教示を説明することを支援するために提供され、教示の範囲又は適用性について限定として解釈されるべきではない。
【０００８】
本明細書において使用されるように、用語「ｃｏｍｐｒｉｓｅｓ（備える）」、「ｃｏｍｐｒｉｓｉｎｇ（備える）」、「ｉｎｃｌｕｄｅｓ（含む）」、「ｉｎｃｌｕｄｉｎｇ（含む）」、「ｈａｓ（有する）」、「ｈａｖｉｎｇ（有する）」、又はこれらの任意の他の変形は、非排他的な包含に及ぶことが意図される。例えば、機構の列挙を含むプロセス、方法、物品、又は装置は、必ずしもこれらの機構のみに限定されず、このようなプロセス、方法、物品、若しくは装置に明示的に列挙されず、又は固有でない他の機構を含んでもよい。更に、逆のことが明示的に記載されない限り、「ｏｒ（又は）」は、包含的「ｏｒ（又は）」を参照し、排他的「ｏｒ（又は）」を参照しない。例えば、条件Ａ又はＢは、Ａが真（又は存在）及びＢが偽（又は不存在）、Ａが偽（又は不存在）及びＢが真（又は存在）、並びにＡとＢとの両方が真（又は存在）のうちの任意の１つによって満たされる。
【０００９】
「ａ」又は「ａｎ」の使用は、本明細書で説明される要素及び構成要素を説明するために利用される。これは、単に便宜のために及び本発明の範囲の一般的な意味を与えるためになされる。この説明は、１つ又は少なくとも１つを含むように解読されるべきであって、他の意味であることが明らかでない限り、単数形はまた複数形を含み、又はその逆である。
【００１０】
変数を参照する場合に、用語「定常状態」は、動作変数が過渡状態の間に変化する場合であっても、動作変数が１０秒に亘って平均される場合に実質的に一定であることを意味することが意図される。例えば、定常状態にある場合に、動作変数は、特定のデバイスのための特定の動作モードのための動作変数のための平均の１０％以内、５％以内、又は０．９％以内に維持されてもよい。変動は、電圧線に沿って伝達されるノイズ、制御デバイス内のトランジスタの切り換え、装置内の他の構成要素の動作、又は他の同様の効果のような、装置又は支持機器における不完全性に起因する場合がある。また更に、変数は、電圧又は電流のような変数が解読されてもよいように毎秒マイクロ秒の間に変化してもよく、又は、１つ以上の電圧供給端子は、１Ｈｚ以上の周波数で２つの異なる電圧（例えば、１Ｖと２Ｖ）の間で交互に入れ替わってもよい。この結果、不完全性に起因して、又は動作パラメータを解読する場合に、装置は、このような変動があったとしても定常状態にあってもよい。動作モード間を変化する場合に、１つ以上の動作変数は過渡状態にあってもよい。このような変数の例は、エレクトロクロミックデバイス内の特定の位置における電圧又はエレクトロクロミックデバイスを流れる電流を含むことができる。
【００１１】
単語「約」、「およそ」、又は「実質的に」の使用は、パラメータの値が記載された値又は位置に近いことを意味することが意図される。しかし、小さい差によって、値又は位置が記載された通りになることが妨げられる場合がある。この結果、値のための最大１０％の差は、説明された通りの理想的な目標との妥当な差である。重要な差は、差が１０パーセント（１０％）より大きい場合である。
【００１２】
他に画定されない限り、本明細書において使用される全ての技術的及び科学的用語は、本発明が属する技術における当業者によって一般的に理解されるものと同じ意味を有する。材料、方法、及び例は例示にすぎず、限定されることが意図されない。本明細書において説明されない範囲で、特定の材料及び処理行為に関する多くの詳細が従来通りであって、ガラス、蒸着、及びエレクトロクロミック技術内の教本及び他の出典において見出されてもよい。
【００１３】
エレクトロクロミックデバイスは、例えば状態間を切り換えるために必要な時間を超えるようなほぼ任意の期間の間、連続勾配透過状態に維持されることができる。連続勾配の場合に、エレクトロクロミックデバイスは、相対的により低い透過率を有する区域においてバスバー間に相対的により高い電界を有し、相対的により高い透過率を有する別の区域においてバスバー間により相対的に低い電界を有することができる。連続勾配は、離散勾配と比較して、より低い透過率とより高い透過率との間のより視覚的に好ましい遷移を可能にする。バスバーに沿った一連の電圧供給端子は、完全脱色（最高透過率）から完全着色（最低透過率状態）の範囲、又はその中間の任意の範囲に及ぶことができる電圧に調整されることができる。また更に、エレクトロクロミックデバイスは、エレクトロクロミックデバイスの全ての区域に亘って実質的に均一な透過状態、エレクトロクロミックデバイスの全ての区域に亘って連続勾配透過状態、又は実質的に均一な透過状態を有する部分と連続勾配透過状態を有する別の部分との組合せで動作されることができる。
【００１４】
連続勾配透過状態のための多くの異なるパターンは、バスバーに結合された電力供給端子における電圧、各バスバーに結合された電圧供給端子の数、バスバーに沿った電圧供給端子の位置、又はこれらの任意の組合せの適切な選択によって達成されることができる。別の実施形態においては、バスバー間の間隙が、連続勾配透過状態を達成するように使用されることができる。
【００１５】
エレクトロクロミックデバイスは、建物用又は車両用の窓の一部として使用されることができる。エレクトロクロミックデバイスは、装置内で使用されることができる。装置は、エネルギー源と、入力／出力ユニットと、エレクトロクロミックデバイスを制御する制御デバイスとを更に含むことができる。装置内の構成要素は、エレクトロクロミックデバイスの近くに又はそれから離れて位置付けられてもよい。一実施形態においては、このような構成要素のうちの１つ以上が、建物内の環境制御と統合されてもよい。
【００１６】
図面に例示され、以下に説明されるような実施形態は、本明細書に説明されるような概念を実装するための特定の用途を理解することに役立つ。以下の説明においては、エレクトロクロミックデバイスは、バスバーにおいて０Ｖ〜３Ｖの範囲にある電圧で動作するように説明される。このような説明は、本明細書で説明されるように概念を単純化するために使用される。他の電圧が、エレクトロクロミックデバイスと共に、或いはエレクトロクロミックの積み重ね内の層の組成又は厚さが変化する場合に、使用されてもよい。バスバー間の電圧差が実際の電圧より重要であるので、バスバーにおける電圧は、両方とも正（１Ｖ〜４Ｖ）、両方とも負（−５Ｖ〜−２Ｖ）、又は負電圧と正電圧との組合せ（−１Ｖ〜２Ｖ）であってもよい。 更に、バスバー間の電圧差は３Ｖより小さくても大きくてもよい。本明細書を解読した後、当業者は、特定の用途のための必要性又は要望を満たすために、異なる動作モードのための電圧差を決定することができる。実施形態は、例示であって、添付の特許請求の範囲を限定することが意図されない。
【００１７】
図１は、基板１００の一部分と、積み重ねの層１２２、１２４、１２６、１２８、及び１３０と、基板１００の上にあるバスバー１４４及び１４８との断面図を含む。基板１００は、ガラス基板、サファイア基板、酸窒化アルミニウム基板、スピネル基板、又は透明ポリマーを含むことができる。特定の実施形態においては、基板１００は、フロートガラス又はホウケイ酸ガラスであることができ、０．５ｍｍ〜４ｍｍの範囲の厚さを有することができる。別の特定の実施形態においては、基板１００は、５０ミクロン〜３００ミクロンの範囲の厚さを有する鉱物ガラスである超薄ガラスを含むことができる。
【００１８】
積み重ねの層は、バスバー１４４及び１４８にそれぞれ結合された透明導電層１２２及び１３０を含む。透明導電層１２２及び１３０は、導電性金属酸化物又は導電性ポリマーを含むことができる。例は、酸化スズ又は酸化亜鉛を含むことができ、これらの何れも、Ａｌ、Ｇａ、Ｉｎ、等のような三価元素、又はポリアニリン、ポリピロール、ポリ（３，４‐エチレンジオキシチオフェン）、等のようなスルホン化ポリマーでドープされることができる。透明導電層１２２及び１３０は、同じ又は異なる組成を有することができる。層１２４及び１２８は電極層であり、一方の層がエレクトロクロミック層であり、他方の層がイオン貯蔵層である（対電極層と呼ばれる場合がある）。エレクトロクロミック層は、ＷＯ３、Ｖ２Ｏ５、ＭｏＯ３、Ｎｂ２Ｏ５、ＴｉＯ２、ＣｕＯ、Ｉｒ２Ｏ３、Ｃｒ２Ｏ３、Ｃｏ２Ｏ３、Ｍｎ２Ｏ３、又はこれらの任意の組合せのような無機金属酸化物電気化学的活物質を含むことができ、５０ｎｍ〜２０００ｎｍの範囲の厚さを有することができる。イオン貯蔵層は、エレクトロクロミック層に対して列挙された材料の何れかを含むことができ、更に酸化ニッケル（ＮｉＯ、Ｎｉ２Ｏ３、又はそれらの２つの組合せ）、及びＬｉ、Ｎａ、Ｈ、又は他のイオンを含んでもよく、８０ｎｍ〜５００ｎｍの範囲の厚さを有してもよい。イオン導電層１２６（電解質層と呼ばれる場合がある）は任意であり、電極層１２４と１２８との間にあり、２０ミクロン〜６０ミクロンの範囲の厚さを有する。イオン導電層１２６は、これを通ってイオンが移動することを可能にし、大量の電子を通過させない。イオン導電層１２６は、リチウム、アルミニウム、ジルコニウム、リン、ホウ素を有する又は有しないケイ酸塩、リチウムを有する又は有しないホウ酸塩、リチウムを有する又は有しない酸化タンタル、リチウムを有する又は有しないランタニド系材料、別のリチウム系セラミック材料、等を含むことができる。本明細書を読解した後、当業者は、本明細書で説明される概念の範囲から逸脱することなく、層１２２、１２４、１２６、１２８、及び１３０のための他の組成及び厚さが使用されることできることを理解するであろう。
【００１９】
透明導電層１２２及び１３０の各々は、バスバー１４４及び１４８が互いに電気的に接続されないように除去された部分を含む。このような除去された部分は、典型的には２０ｎｍ〜２０００ｎｍの幅である。特定の実施形態においては、バスバー１４４は、透明導電層１２２を介して電極層１２４に電気的に接続され、バスバー１４８は、透明導電層１３０を介して電極層１２８に電気的に接続される。バスバー１４４及び１４８は、導電性材料を含む。一実施形態においては、バスバー１４４及び１４８の各々は、透明導電層１２２の上に印刷された銀フリットのような導電性インクを使用して形成されることができる。別の実施形態においては、バスバー１４４及び１４８の一方又は両方は、銀充填エポキシのような金属充填ポリマーを含むことができる。特定の実施形態（例示されず）においては、バスバー１４８は、透明導電層１３０の上にあり、層１２２、１２４、１２６、及び１２８から離間する導電性充填ポリマーを含むことができる。金属充填ポリマーのための前駆体の粘度は、前駆体がさもなければ導電性インクにとって問題となる場合がある下層の亀裂又は他の微細な欠陥を流れることを避けるように充分に高くてもよい。
【００２０】
例示された実施形態においては、エレクトロクロミックデバイスの幅ＷＥＣは、透明導電層１２２及び１３０の除去された部分間の横方向距離に対応する寸法である。ＷＳは、バスバー１４４と１４８との間の積み重ねの幅である。ＷＳとＷＥＣの差は、多くても５ｃｍ、多くても２ｃｍ、又は多くても０．９ｃｍである。この結果、積み重ねの幅の大部分は、異なる透過状態を可能にするエレクトロクロミックデバイスの動作部分に対応する。一実施形態においては、このような動作部分は、エレクトロクロミックデバイスの本体であり、バスバー１４４と１４８との間の区域の少なくとも９０％、少なくとも９５％、少なくとも９８％、又はそれ以上を占めることができる。
【００２１】
図２は、基板１００及び図１に対して説明されるような層を含むエレクトロクロミックデバイス２１０の上面図を含む。バスバー１４４は、基板１００の側面２０２に沿ってあり、バスバー１４８は、側面２０２に対向する側面２０４に沿ってある。バスバー１４４及び１４８の各々は、側面２０６と側面２０６に対向する側面２０８との間の距離の大部分を延伸する長さを有する。特定の実施形態においては、バスバー１４４及び１４８の各々は、側面２０６と２０８との間の距離の少なくとも７５％、少なくとも９０％、又は少なくとも９５％の長さを有する。バスバー１４４及び１４８の長さは、互いに実質的に平行である。本明細書で使用されるように、実質的に平行とは、バスバー１４４及び１４８の長さが互いに平行であることから１０度以内であることを意味することが意図される。長さに沿って、バスバーの各々は、実質的に均一な断面積及び組成を有する。この結果、このような実施形態においては、バスバー１４４及び１４８は、それらのそれぞれの長さに沿って単位長さ当たり実質的に一定の抵抗を有する。
【００２２】
図３は、図１に例示されるような基板１００とエレクトロクロミックデバイス２１０とを含む絶縁ガラスユニット（ＩＧＵ）３００の断面図の実例を含む。ＩＧＵ３００は、対向基板３２０と、エレクトロクロミックデバイス２１０と対向基板３２０との間に配置された太陽光制御フィルム３１２とを更に含む。シール３２２が、基板１００と対向基板３２０との間及びエレクトロクロミックデバイス２１０の周りに配置される。シール３２２は、ポリイソブチレンのようなポリマーを含むことができる。対向基板３２０は、窓ガラス３３０に結合される。対向基板３２０及び窓ガラス３３０の各々は、強化ガラス又は焼入れガラスであることができ、２ｍｍ〜９ｍｍの範囲の厚さを有することができる。低放射率層３３２が、窓ガラス３３０の内側表面に沿って配置されることができる。対向基板３２０及び窓ガラス３３０は、基板１００及びエレクトロクロミックデバイス２１０を取り囲むスペーサバー３４２によって離間されることができる。スペーサバー３４２は、シール３４４を介して対向基板３２０及び窓ガラス３３０に結合される。シール３４４は、ポリイソブチレンのようなポリマーであることができる。シール３４４は、シール３２２と比較して、同じ又は異なる組成を有することができる。接着接合部３５０は、対向基板３２０及び窓ガラス３３０を共に保持するように設計され、対向基板３２０及び窓ガラス３３０の縁部の全周に沿って設けられる。ＩＧＵ３００の内部空間３６０は、希ガス又は乾燥空気のような相対的に不活性なガスを含んでもよい。別の実施形態においては、内部空間３６０は真空にされてもよい。
【００２３】
図４は、エレクトロクロミックデバイス２１０と、エネルギー源４２０と、制御デバイス４３０と、入力／出力（Ｉ／Ｏ）ユニット４４０とを含む装置４００の単純された概略図を含む。エネルギー源４２０は、制御デバイス４３０を介してエレクトロクロミックデバイス２１０にエネルギーを供給する。一実施形態においては、エネルギー源４２０は、太陽電池、電池、別の適切なエネルギー源、又はこれらの任意の組合せを含んでもよい。制御デバイス４３０は、エレクトロクロミックデバイス２１０及びエネルギー源４２０に結合されることができる。制御デバイス４３０は、エレクトロクロミックデバイス２１０の動作を制御するためのロジックを含むことができ、本明細書において後により詳細に説明されるであろう。制御デバイス４３０のためのロジックは、ハードウェア、ソフトウェア、又はファームウェアの形態にあることができる。一実施形態においては、ロジックは、フィールドプログラマブルゲートアレイ（ＦＰＧＡ）、特定用途向け集積回路（ＡＳＩＣ）、又は別の持続性メモリに格納されてもよい。一実施形態においては、制御デバイス４３０は、制御デバイス４３０内のメモリに格納され、又は外部ソースから受信された命令を実行することができるプロセッサを含んでもよい。Ｉ／Ｏユニット４４０は、制御デバイスに結合される。Ｉ／Ｏユニット４４０は、光、運動、温度、別の適切なパラメータ、又はこれらの任意の組合せのようなセンサからの情報を提供することができる。Ｉ／Ｏユニット４４０は、エレクトロクロミックデバイス２１０、エネルギー源４２０、又は制御デバイス４３０に関する情報を装置４００の別の部分又は装置４００の外側の別の宛先に提供してもよい。このような情報は、図４における構成要素、電圧、電流、エネルギー使用量、等のうちの何れかの状態を含んでもよい。
【００２４】
エネルギー源４２０、制御デバイス４３０、及びＩ／Ｏユニット４４０は、エレクトロクロミックデバイス２１０の近くに又はそれから離れて位置付けられてもよい。一実施形態においては、図３におけるＩＧＵ３００は、エレクトロクロミックデバイス２１０及びエネルギー源４２０を含んでもよい。別の実施形態においては、エネルギー源４２０、制御デバイス４３０、Ｉ／Ｏユニット４４０は、ＩＧＵ３００を保持するフレームに配置されてもよく、又はそれに取り付けられてもよい。更なる実施形態においては、制御デバイス４３０、Ｉ／Ｏユニット４４０、又はそれらの両方は、ＩＧＵ３００及びフレームから離れて位置付けられてもよい。例えば、制御デバイス４３０及びＩ／Ｏユニット４４０は、暖房、換気、及び空調のような建物の環境システム、建物用のライト、等に結合されてもよく、又はそれらと機能を共有してもよい。本明細書を解読した後、当業者は、特定の用途のために装置４００の構成要素の特定の位置を決定することができるであろう。
【００２５】
電圧供給端子は、バスバーに取り付けられることができる。図５は、各バスバーのための２つの端子を有する特定の実施形態の実例を含む。より詳細には、電圧供給端子５４１及び５４２が、バスバー１４４の両端に又はそれらの近くに電気的に接続され、電圧供給端子５４３及び５４４が、バスバー１４８の両端に又はそれらの近くに電気的に接続される。例えば、電圧供給端子の各々は、そのそれぞれのバスバーのその最も近い端部から５ｃｍ以内に接続されてもよい。電圧供給端子５４１〜５４４は、互いに別々に制御されることができる。電圧供給端子５４１及び５４４を制御するための能力は、本明細書において後により詳細に説明されるように、エレクトロクロミックデバイス２１０を介する光透過率の連続勾配に関する更なる制御を可能にする。
【００２６】
電圧供給端子の数は、図５に示されるような構成に限定されない。３つ、４つ、５つ、又はそれ以上の電圧供給端子が、バスバー１４４及び１４８の一方又は両方に接続されてもよい。端子は、その隣接する端子から実質的に等間隔に離間されてもよく、又は異なる間隔を有してもよい。図６は、電圧供給端子６４１〜６４６を含み、電圧供給端子６４１〜６４３はバスバー１４４に電気的に接続され、電圧供給端子６４４〜６４６はバスバー１４８に電気的に接続される。バスバー１４４に沿って、電圧供給端子６４２は、電圧供給端子６４１と比較して、電圧供給端子６４３により近い。バスバー１４８に沿って、電圧供給端子６４５は、電圧供給端子６４６と比較して、電圧供給端子６４４により近い。エレクトロクロミックデバイス２１０が東を向き、朝にちょうど太陽が昇った場合に、エレクトロクロミックデバイス２１０は、完全着色に設定されてもよい。非限定的な例においては、電圧供給端子６４１〜６４３は、３Ｖに設定されてもよく、電圧供給端子６４４〜６４６は、０Ｖに設定されてもよい。朝遅くに、エレクトロクロミックデバイス２１０は、エレクトロクロミックデバイス２１０の実質的に全長に亘って連続的に勾配されてもよく、電圧供給端子６４１は、３Ｖに設定されてもよく、電圧供給端子６４２及び６４５は、電気的に浮動することを可能にされてもよく、電圧供給端子６４３及び６４６は、１．５Ｖに設定されてもよく、電圧供給端子６４４は、０Ｖに設定されてもよい。その日の更に遅くに、エレクトロクロミックデバイス２１０の電圧供給端子６４２及び６４５の上の部分は、連続的に勾配されてもよく、エレクトロクロミックデバイス２１０の電圧供給端子６４２及び６４５における又はその下の部分は、脱色透過状態にあってもよい。この実施形態においては、電圧供給端子６４１は、３Ｖに設定されてもよく、電圧供給端子６４２、６４３、６４５、及び６４６は、１．５Ｖに設定されてもよく、電圧供給端子６４４は、０Ｖに設定されてもよい。この特定の実施形態においては、光透過率の勾配は使用されず（完全に着色される場合の日の出時）、又は光透過率の勾配は連続勾配透過状態に維持される。従って、エレクトロクロミックデバイス２１０で、離散勾配で生じる荒い境界は見られない。
【００２７】
更なる実施形態においては、電圧供給端子６４２及び６４５は、電圧供給端子６４３及び６４６と比較して、電圧供給端子６４１及び６４４により近くてもよい。このような実施形態は、日の出時により多くの太陽光の透過を可能にして、より広いスペクトルの波長の光を部屋又は他の空間に入れることを可能にするために有用であってもよい。或いは、追加の電圧供給端子（例示されず）が、実質的に同じ効果を達成するために、バスバー１４４及び１４８に取り付けられてもよい。
【００２８】
図５及び図６に例示されるような実施形態においては、バスバー１４４及び１４８は、バスバー１４４及び１４８の単位長さ当たりの抵抗が同じバスバーに接続された電圧供給端子間の電気的短絡を防止するために充分な抵抗を有するように設計されることができる。バスバーの電圧供給端子間の距離が相対的により短いほど、より小さい断面積（例えば、相対的により狭い若しくはより薄いバスバー）又はより高い抵抗率を有する組成を有することを使用するように、単位長さ当たりの抵抗が増加してもよく、バスバーの電圧供給端子間の長さが相対的により長いほど、より大きい断面積（例えば、相対的により広い若しくはより厚いバスバー）又はより低い抵抗率を有する組成を有するように、単位長さ当たりの抵抗が減少してもよい。非限定的な例においては、装置４００は、各バスバー１４４及び１４８の端部間の抵抗が１．５オームとなるように設計されてもよい。バスバー１４４及び１４８が３ｍの長さである場合に、単位距離当たりの抵抗は、０．５オーム／ｃｍであってもよい。バスバー１４４及び１４８が１ｍの長さである場合に、単位距離当たりの抵抗は、１．５オーム／ｃｍであってもよい。この結果、２つの例におけるバスバーを比較する場合に、後者の例は、前者の例と比較して、より高い抵抗率又はより小さい断面積（例えば、より薄い若しくはより狭い）を有する組成を有してもよい。他の装置は、１．５オーム以外の抵抗のために設計されてもよい。本明細書を解読した後、当業者は、バスバーの組成及び物理的設計が特定の用途のための所望の電気的特性を達成するために調整されることができることを理解するであろう。
【００２９】
エレクトロクロミックデバイス２１０の動作が、図５に例示されるようなエレクトロクロミックデバイス２１０と、バスバー１４４及び１４８と、電圧供給端子（ＶＳＴ）５４１〜５４４とを含む、図３に例示されるようなＩＧＵ３００で使用されるように、図４に例示されるような装置４００に対して考察される。説明は、異なる透過状態の柔軟性を例示するためであり、このような説明は、添付の特許請求の範囲において画定されるように、本発明の範囲を限定することが意味されない。表１は、異なる透過状態のために使用されることができる例示的な電圧を含む。
【表１】
0006793855.tif 000002
【００３０】
例示的な動作が、図７のタイミング図に対して説明され例示される。タイミング図は、日中のエレクトロクロミックデバイス２１０の動作に対応する。表１は、電圧供給端子に供給される電圧を決定するために使用される。この結果、図７におけるタイミング図に対して説明される異なる状態は、表１に列挙する順序に一致しない。図７に例示された電流は、通常動作中にエレクトロクロミックデバイス２１０で見られた最大に対して正規化された電流の絶対値である。この結果、図７において電流の単位はない。
【００３１】
図７に対して、この特定の例においては、ＩＧＵ３００は東を向く。ｔ＝０において、エレクトロクロミックデバイス２１０は、最初に完全脱色透過状態において開始することができる。例えば、Ｉ／Ｏユニット４４０は、外側の光レベルが夜間に対応することを示すセンサを含んでもよく、このような情報は、制御デバイス４３０に提供されることができる。制御デバイス４３０のＦＰＧＡは、状態情報を動作モードに相関させるテーブルを含むことができる。例えば、Ｉ／Ｏユニット４４０から受信された入力から、低い外側の光レベルを夜間に相関させる。ＦＰＧＡは、完全脱色透過状態（動作モード）がエレクトロクロミックデバイス２１０のために使用されるべきであるという情報を更に含んでもよい。制御デバイス４３０は、電圧供給端子５４１〜５４４の電圧を表１における完全脱色透過状態に対応する値に設定するように、エレクトロクロミックデバイス２１０、エネルギー源４２０、又はそれらの両方に信号を送信することができる。電圧供給端子５４１〜５４４における電圧は０Ｖであるので、エレクトロクロミックデバイス２１０を流れる電流は実質的にない。図８は、完全脱色透過状態にある場合の基板１００と、エレクトロクロミックデバイス２１０と、バスバー１４４及び１４８と、電圧供給端子５４１〜５４４との実例を含む。
【００３２】
日の出（ｔ＝ｔ１）の直後に、太陽光がＩＧＵ３００を有する部屋に入ってもよい。Ｉ／Ｏユニット４４０からの入力は、光が部屋内で最も強い太陽の角度を決定するために使用されてもよい。例えば、一連の光センサは、水平線に対して異なる角度において受光面を有してもよい。角度は、何れの光センサが最も多くの光を感知し、水平線上の太陽の角度を光センサの受光面の対応する角度に関連付けるかによって決定されてもよい。或いは、光センサは、光を光感知面に集束させるレンズを含んでもよく、光感知面に到達する集束光の位置は、水平面に対する太陽の角度に相関することができる。光センサからの光レベル情報は、Ｉ／Ｏユニット４４０から送信されることができ、制御デバイス４３０によって受信されることができる。制御デバイス４３０のＦＰＧＡは、水平線に対する太陽の角度を決定するためにＩ／Ｏユニット４４０からの光レベル情報を相関させることができる。ＦＰＧＡは、光レベル情報が太陽を日の出の少し後であるとして相関させることを決定する。別の実施形態においては、水平線に対する太陽の角度を決定するために、年の日時が使用されることができる。ＦＰＧＡは、太陽が目に見え（曇りではなく）、時間が日の出の少し後である場合に、完全着色透過状態がエレクトロクロミックデバイス２１０のために使用されるべきであるという情報を更に含んでもよい。制御デバイス４３０は、電圧供給端子５４１〜５４４の電圧を表１における完全着色透過状態に対応する値に設定するために、エレクトロクロミックデバイス２１０、エネルギー源４２０、又はそれらの両方に信号を送信することができる。図９は、完全着色透過状態にある場合の基板１００と、エレクトロクロミックデバイス２１０と、バスバー１４４及び１４８と、電圧供給端子５４１〜５４４との実例を含む。
【００３３】
図７においては、ｔ１〜ｔ２の期間は、状態間を、この特定の例においては、ｔ＝０における完全脱色透過状態からｔ＝１における完全着色透過状態に切り換えるために必要な時間に対応する。エレクトロクロミックデバイス２１０はキャパシタに類似し、電圧供給端子５４１〜５４４の何れか又は全ての電圧を変化させる場合に、エレクトロクロミックデバイス２１０内の電荷キャリアは、反対に帯電された端子に引き付けられる。より詳細には、イオン（正荷電粒子）は相対的により低い電圧にあるバスバーに向かって移動し、電子は相対的により高い電圧にある別のバスバーに向かって移動する。
【００３４】
エレクトロクロミックデバイス２１０の状態を切り換えるために必要な時間は、エレクトロクロミックデバイスの構造（例えば、層並びにそれらの組成及び厚さ）と、エレクトロクロミックデバイスの幾何学的形状（例えば、エレクトロクロミックデバイスの面積、バス間の距離、等）と、切り換えの直前及び直後のエレクトロクロミックデバイス２１０の透過状態と、電力供給及び電気的接続とに依存することができる。典型的には、エレクトロクロミックデバイスは、より短い又はより長い切り換え時間を有する幾つかの特定のエレクトロクロミックデバイスでは、およそ１０〜４５分かかる。この結果、ｔ１〜ｔ２の期間は、ほとんどの場合１時間未満である。
【００３５】
図７において見られるように、エレクトロクロミックデバイス２１０を通る電流は、最大に増加し、そして、ｔ２における完全着色透過状態のための定常状態電流に指数関数的に減衰する。完全脱色透過状態から完全着色透過状態の切り換え中の最大電流は、少なくとも０．８、少なくとも０．９、又は０．９５であってもよい。特定の実施形態においては、切り換え中の最大電流は１．０であってもよい。切り換え中の平均電流は、少なくとも０．４、少なくとも０．５、又は少なくとも０．５５であってもよく、切り換え中の最大電流未満であってもよい。
【００３６】
ｔ２〜ｔ３の期間は、図９に例示されるように、完全着色透過状態におけるエレクトロクロミックデバイス２１０の定常状態動作に対応する。理論的には、エレクトロクロミックデバイス２１０を通る電流は定常状態において０．０であるべきであるが、エレクトロクロミックデバイス２１０は、定常状態において幾らかの漏れ電流を有する。エレクトロクロミックデバイスのための層の組成に依存して、完全着色透過状態にある場合に、エレクトロクロミックデバイス２１０を通る平均電流は、０〜０．２５の範囲にある。図７においては、電流は、０．１であるように例示される。理論的には、ｔ２〜ｔ３の期間は無限に長くてもよい。実際には、完全着色透過状態は、昼間には使用されてもよいが、夜間には使用されなくてもよい。この結果、ｔ２〜ｔ３は、少なくとも１．１時間、少なくとも２時間、少なくとも６時間、又は少なくとも１２時間であってもよい。６時間は、東又は西に向くエレクトロクロミックデバイスに対応してもよく、１２時間は、南に向くエレクトロクロミックデバイスに対応してもよい。北極圏又は南極圏の近くの夏の間は、特に場所が北極又は南極により近いために、期間は数日間続いてもよい。
【００３７】
例示的な動作に戻ると、朝遅くに（ｔ＝ｔ３）、太陽光は水平線の更に上にあってもよく、この結果、エレクトロクロミックデバイス２１０を有する部屋に入る光はより少なくなる。Ｉ／Ｏユニット４４０からの入力は、時刻、光センサからの光強度、等を含んでもよい。入力は、部屋が人間によって占有されるか否かを決定するために使用されることができる運動センサを更に含んでもよい。入力は、Ｉ／Ｏユニット４４０から制御デバイス４３０に送信されることができる。制御デバイス４３０のＦＰＧＡは、Ｉ／Ｏユニット４４０からの情報を朝遅いような時間及び占有状態に相関させることができる。部屋が占有されない場合に、エレクトロクロミックデバイス２１０は、完全着色透過状態に維持されてもよい。完全着色透過状態を維持することは、エネルギーコストを削減することに役立ってもよい。部屋が占有される場合に、エレクトロクロミックデバイス２１０は、連続勾配透過状態に変化して、より広いスペクトルの波長の光を部屋に入れることを可能にしてもよい。朝遅く及び占有される部屋に対応する入力で、ＦＰＧＡは、連続勾配透過状態がエレクトロクロミックデバイス２１０のために使用されるべきであるという情報を更に含んでもよい。制御デバイス４３０は、電圧供給端子５４１〜５４４の電圧を表１における連続勾配透過状態に対応する値に設定するために、エレクトロクロミックデバイス２１０、エネルギー源４２０、又はそれらの両方に信号を送信することができる。特定の実施形態においては、エレクトロクロミックデバイス２１０は、エレクトロクロミックデバイス２１０の底部近くでより高い光透過率を有し、別の特定の実施形態においては、エレクトロクロミックデバイス２１０は、エレクトロクロミックデバイス２１０の上部近くでより高い光透過率を有する。
【００３８】
図７においては、ｔ３〜ｔ４の期間は、状態間を、この特定の例においては、完全着色透過状態から連続勾配透過状態に切り換えるために必要な時間に対応する。図７において見られるように、エレクトロクロミックデバイス２１０を通る電流は、最大に増加し、そして、ｔ４における定常状態連続勾配電流に指数関数的に減衰する。
【００３９】
連続勾配透過状態に又はそれから切り換える場合の最大電流は、完全脱色透過状態から完全着色透過状態に又はその逆に切り換える場合の最大電流より小さくてもよい。連続勾配透過状態に又はそれから切り換える場合の最大電流は、任意の透過状態のための定常状態における最大電流より大きくてもよい。一実施形態においては、完全着色透過状態から連続勾配透過状態に切り換える場合の最大電流は、多くても０．８、多くても０．７、又は多くても０．６である。一実施形態においては、完全着色透過状態から連続勾配透過状態に切り換える場合の最大電流は、少なくとも０．２、少なくとも０．３、又は少なくとも０．４である。
【００４０】
連続勾配透過状態に又はそれから切り換える場合の平均電流は、完全脱色透過状態から完全着色透過状態に又はその逆に切り換える場合の平均電流より小さくてもよい。連続勾配透過状態に又はそれから切り換える場合の平均電流は、定常状態における場合の任意の透過状態のための平均電流より大きくてもよい。一実施形態においては、切り換え中の平均電流は、少なくとも０．２、少なくとも０．２５、又は少なくとも０．３０であってもよく、別の実施形態においては、多くても０．５０、多くても０．５５、又は多くても０．６である。
【００４１】
エレクトロクロミックデバイス２１０の状態を切り換えるために必要な時間は、ｔ１〜ｔ２の期間に対して先に考察された。この結果、ｔ３〜ｔ４の期間は、ｔ１〜ｔ２の期間に対して先に説明されたような値のうちの何れかを有してもよい。ｔ３〜ｔ４の期間は、ｔ１〜ｔ２の期間と同じであってもよく、又は異なってもよい。
【００４２】
図７を参照すると、ｔ４〜ｔ５の期間は、連続勾配透過状態におけるエレクトロクロミックデバイス２１０の定常状態動作に対応する。図１０は、エレクトロクロミックデバイスがエレクトロクロミックデバイス２１０の底部近くで最も高い透過率で連続的に勾配される実例を含み、図１１は、エレクトロクロミックデバイスがエレクトロクロミックデバイス２１０の上部近くで最も高い透過率で連続的に勾配される実例を含む。図１１における勾配は、図１０における勾配の鏡像である。
【００４３】
連続勾配透過状態の間にエレクトロクロミックデバイス２１０を流れる電流は、電圧供給端子５４１〜５４４における電圧に依存することができる。連続勾配透過状態の間に、電圧供給端子５４１及び５４３における電圧の平均が電圧供給端子５４２及び５４４における電圧の平均と同じである場合に、電流は、相対的に低く保持されることができる。エレクトロクロミックデバイス２１０を流れる平均電流は、平均電圧間の差（例えば、電圧供給端子５４２及び５４４における平均電圧を引いた電圧供給端子５４１及び５４３における平均電圧の絶対値）が０Ｖから増加するほど増加してもよい。一実施形態においては、電圧供給端子５４１及び５４３の平均電圧（エレクトロクロミックデバイス２１０の上部近く）は、電圧供給端子５４２及び５４４の平均電圧（エレクトロクロミックデバイス２１０の底部近く）の２０％以内、１５％以内、又は９％以内である。最高の透過率がエレクトロクロミックデバイス２１０の底部にある場合の連続勾配透過状態のために表１を参照すると、電圧供給端子５４１及び５４３のための平均電圧は、（３Ｖ＋０Ｖ）／２、すなわち１．５Ｖであって、電圧供給端子５４２及び５４４のための平均電圧は、（１．５Ｖ＋１．５Ｖ）／２、すなわち１．５Ｖである。この結果、平均は同じである。この特定の例においては、エレクトロクロミックデバイス２１０をこの状態に維持する場合に、３Ｗの電力（各バスバーのために１．５Ｗ）が消費されてもよい。比較の点として、電圧供給端子５４１が３Ｖにあり、他の電圧供給端子が０Ｖにある場合に、エレクトロクロミックデバイス２１０のための別の連続勾配透過状態が達成されることができる。電圧供給端子５４１及び５４３のための平均電圧は、（３Ｖ＋０Ｖ）／２、すなわち１．５Ｖであり、電圧供給端子５４２及び５４４のための平均電圧は、（０Ｖ＋０Ｖ）／２、すなわち０Ｖである。この特定の例のために、エレクトロクロミックデバイス２１０を維持する場合に、６Ｗの電力が消費されてもよい。この結果、電圧の選択は、連続勾配透過状態を維持する場合に消費される電流量に影響を及ぼすことができる。
【００４４】
定常状態の動作においては、連続勾配透過状態のためのエレクトロクロミックデバイス２１０を流れる最大電流は、連続勾配透過状態と完全着色透過状態及び完全脱色透過状態の一方又は両方との間の切り換え中のエレクトロクロミックデバイス２１０を流れる最大電流より小さい。更に、連続勾配透過状態のためのエレクトロクロミックデバイス２１０を流れる平均電流は、連続勾配透過状態と完全着色透過状態及び完全脱色透過状態の一方又は両方との間の切り換え中のエレクトロクロミックデバイス２１０を流れる平均電流より小さい。
【００４５】
完全脱色透過状態及び完全着色透過状態と比較して、連続勾配透過状態のための平均電流は、完全脱色透過状態及び完全着色透過状態の一方又は両方のための平均電流より大きい。一実施形態においては、連続勾配透過状態のための平均電流は、多くても０．４、多くても０．３、又は多くても０．２５である。一実施形態においては、連続勾配透過状態のための平均電流は、少なくとも０．０５、少なくとも０．１、又は少なくとも０．１５である。
【００４６】
ｔ２〜ｔ３の期間（完全着色透過状態）に対して説明されたｔ４〜ｔ５の期間の長さのための検討はまた、ｔ４〜ｔ５の期間に当てはまる。ｔ４〜ｔ５の期間は、ｔ２〜ｔ３の期間と同じであってもよく、又は異なってもよい。
【００４７】
例示的な動作に戻ると、その日の遅くに（ｔ＝ｔ５）、太陽光はもはやＩＧＵ３００を通って部屋に直接入らない場合がある。例えば、エレクトロクロミックデバイス２１０が東を向く場合に、その日の午後１時以降には、太陽光はもはやＩＧＵ３００に到達しない場合があり、この結果、着色はもはや必要ではない場合がある。Ｉ／Ｏユニット４４０からの入力は、時刻、光センサからの光強度、等を含んでもよい。入力は、Ｉ／Ｏユニット４４０から制御デバイス４３０に送信されることができる。制御デバイス４３０のＦＰＧＡは、Ｉ／Ｏユニット４４０からの情報を午後の遅くであるような時間に相関させることができる。午後又はその日の遅くに対応する入力で、ＦＰＧＡは、完全脱色透過状態がエレクトロクロミックデバイス２１０のために使用されるべきであるという情報を更に含んでもよい。制御デバイス４３０は、電圧供給端子５４１〜５４４の電圧を表１における完全脱色透過状態に対応する値に設定するように、エレクトロクロミックデバイス２１０、エネルギー源４２０、又はそれらの両方に信号を送信することができる。
【００４８】
図７においては、ｔ５〜ｔ６の期間は、状態間を、この特定の例においては連続勾配透過状態から完全脱色透過状態に切り換えるために必要な時間に対応する。図７に見られるように、エレクトロクロミックデバイス２１０を通る電流は最大に増加し、そしてｔ６における完全に脱色された定常状態に指数関数的に減衰する。連続勾配透過状態から完全脱色透過状態に切り換える場合の電流は、完全着色透過状態から連続勾配透過状態の切り換えに対して先に説明されたような特性又は値の何れかを有してもよい。
【００４９】
エレクトロクロミックデバイス２１０の状態を切り換えるために必要な時間は、ｔ１〜ｔ２の期間に対して先に考察された。この結果、ｔ５〜ｔ６の期間は、ｔ１〜ｔ２の期間に対して先に説明されたような値の何れかを有してもよい。ｔ５〜ｔ６の期間は、ｔ１〜ｔ２又はｔ３〜ｔ４の期間の一方又は両方と同じであってもよく、異なってもよい。
【００５０】
図８に例示されるように、ｔ６〜ｔ７の期間は、完全脱色透過状態におけるエレクトロクロミックデバイス２１０の定常状態動作に対応する。完全脱色透過状態にある場合のエレクトロクロミックデバイス２１０を通る電流は、ｔ０〜ｔ１の期間に対して上記で説明された。理論的には、ｔ６〜ｔ７の期間は無限に長くてもよい。実際には、完全脱色透過状態は、夜間又は太陽光がＩＧＵ３００に到達しない場合（例えば、空が曇っている、又はＩＧＵ３００を有する建物の別の側面が太陽に向いている）に使用されてもよい。この結果、ｔ６〜ｔ７は、少なくとも１．１時間、少なくとも２時間、少なくとも６時間、少なくとも１２時間、又は少なくとも１８時間であってもよい。１８時間は、東又は西に向くエレクトロクロミックデバイスに対応してもよく、１２時間は、南に向くエレクトロクロミックデバイスに対応してもよい。北極圏又は南極圏の近くの冬の間は、特に場所が北極又は南極により近いので、期間は数日続いてもよい。
【００５１】
更なる実施形態においては、相対的に負の電圧が、エレクトロクロミックデバイス２１０が全ての電圧供給端子が０Ｖである場合より着色されないように見えることを手助けするために、完全脱色状態において使用されてもよい。例えば、電圧供給端子５４１及び５４２は−０．５Ｖにすることができ、電圧供給端子は完全脱色状態にある場合に０Ｖにすることができる。
【００５２】
図７におけるタイミング図に対して説明された動作は、例示であり、本発明の範囲を限定することが意図されない。エレクトロクロミックデバイス２１０が南又は西を向く場合に、動作は変更されてもよい。例えば、南を向く場合には、エレクトロクロミックデバイスは、太陽光が最初にエレクトロクロミックデバイスに到達した場合に連続勾配透過状態にあってもよく、正午頃には完全着色透過状態に切り換えられてもよく、午後２時頃には連続勾配透過状態に切り換えられてもよく、太陽光がもはやエレクトロクロミックデバイスに到達しなくなった後に完全脱色透過状態に切り換えられてもよい。西に向く場合には、エレクトロクロミックデバイスは、太陽光が最初にエレクトロクロミックデバイスに到達した場合に連続勾配透過状態にあってもよく、日没近くに完全着色透過状態に切り換えられてもよく、太陽光がもはやエレクトロクロミックデバイスに到達しなくなった後に完全脱色透過状態に切り換えられてもよい。
【００５３】
エレクトロクロミックデバイスの動作は、Ｉ／Ｏユニット４４０からの入力によって無効にされることができ、又はそれと共に使用されることができる。例えば、光センサが、嵐雲と一致する光レベルに関する情報を提供してもよい。仮に太陽がエレクトロクロミックデバイス２１０に光を供給するための位置にあったとしても、嵐雲がかなりの量の太陽光を遮断する場合がある。この結果、エレクトロクロミックデバイス２１０は、完全脱色透過状態にされてもよい。更に、部分的透過状態が使用されてもよい。例えば、全てではないがかなりの部分の太陽光が薄い高い雲を通過する場合がある。一実施形態においては、最大着色の７０％のみが必要とされてもよい。この結果、東を向くエレクトロクロミックデバイス２１０のために、日の出の少し後に、エレクトロクロミックデバイス２１０は最大着色レベルの７０％で均一に着色されてもよく、朝遅くには、エレクトロクロミックデバイス２１０の上部が、最大着色レベルの７０％にあってもよい。
【００５４】
別の例においては、エレクトロクロミックデバイス２１０を有するＩＧＵ３００は、隣接する建物の傾斜された、雪で覆われた屋根を向いてもよい。エレクトロクロミックデバイス２１０に直接到達しないかなりの量の太陽光が反射され、エレクトロクロミックデバイスに到達してもよい。完全脱色透過状態は、反射光の強度に起因して使用されない場合がある。最大着色レベルの０％の着色レベルではなく、２０％の着色レベルが使用されてもよい。よって、２０％の着色レベルがエレクトロクロミックデバイス２１０に亘って均一に使用されてもよく、又はエレクトロクロミックデバイス２１０の底部近くで２０％の着色レベルが使用され、上部近くで完全に脱色される連続勾配を使用してもよい。先に説明された例は、例示的な特定の用途において役立つ。本明細書を解読した後、当業者は、他の動作モードが使用されてもよいことを理解するであろう。
【００５５】
必要に応じて又は所望であれば、他のバイアス条件が連続勾配のために使用されてもよい。例えば、午前中に、エレクトロクロミックデバイス２１０は、連続的に勾配されてもよいが、エレクトロクロミックデバイス２１０の底部近くに幾らかの着色を有してもよい。例えば、エレクトロクロミックデバイス２１０の上部が１００％着色にあってもよく、エレクトロクロミックデバイス２１０の底部が３３％着色にあってもよい。従って、電圧供給端子５４１、５４２、５４３、及び５４４における電圧は、それぞれ３Ｖ、２Ｖ、１Ｖ、及び０Ｖであってもよい。
【００５６】
他の連続勾配透過パターンが使用されてもよい。一実施形態においては、連続勾配透過状態は、エレクトロクロミックデバイスの少なくとも２７％、少なくとも５０％、少なくとも７５％、少なくとも９０％、又は実質的に全部に広がってもよい。別の実施形態においては、連続勾配は、斜め方向に沿った一対の端子間にあってもよい。例えば、電圧供給端子５４１における電圧は３Ｖであってもよく、電圧供給端子５４２〜５４４における電圧は０Ｖであってもよい。図１２は、このようなエレクトロクロミックデバイス２１０がどのように見えてもよいかの実例を含む。
【００５７】
より多くの電圧供給端子が、着色における他のパターン及びより高い柔軟性を可能にする。図１３及び図１４の各々においては、電圧供給端子１３４１、１３４２、及び１３４３はバスバー１４４に電気的に接続され、電圧供給端子１３４４、１３４５、及び１３４６はバスバー１４８に電気的に接続される。図１３においては、エレクトロクロミックデバイス２１０は、上側半分では連続的に勾配され、下側半分では完全に脱色される。図１４においては、連続勾配は、中央近くに最高レベルの着色を可能にし、中央から上部及び下部の各々に連続的に勾配される。以下は、図１３及び図１４におけるパターンを達成するために使用されることができる電圧の例示的な表である。
【表２】
0006793855.tif 000003
【００５８】
代替の実施形態においては、更なる透過パターンが、図１３及び図１４に例示されるものを超えて達成されることができる。本明細書を解読した後、当業者は、電圧供給端子の数及び位置がカスタムパターンを達成することを可能にすることを理解するであろう。電圧供給端子の数が増加するほど、又は電圧供給端子の位置が各バスバーに沿って変化するほど、より複雑な透過パターンが達成されてもよい。当業者は、電圧供給端子の数の増加が設置時の配線を複雑にすることがあることを理解し、従って、当業者は、各バスに沿った電圧供給端子の数と透過パターンの複雑性のレベルとの間の良好なバランスを取るために使用される電圧供給端子の数を決定することができるであろう。
【００５９】
基板及びエレクトロクロミックデバイスの形状は、長方形に加えて他の形状を含むことができる。他の形状は、三角形、長さが異なる２つの隣接する辺を有する他の四辺形、六角形、八角形、円形、楕円形、等を含むことができる。また更に別の形状は、直線状の縁部と湾曲された別の縁部との組合せを含むことができる。基板及びエレクトロクロミックデバイスは、建築用ガラス、車両の窓、等として使用されてもよい。
【００６０】
上記で例示され且つ説明されたような実施形態は、連続的に勾配されるエレクトロクロミックデバイスが、透過状態の切り換えが完了した後のほぼ任意の期間の間に維持されることを可能にする。連続勾配は、特許文献１に開示されるような離散勾配と比較して、人間にとってより美的に心地良いものになることができる。特許文献１の構成及び設計は、導電性部材毎に１つの電力供給端子に基づく。特許文献１における図４Ｄ及び図４Ｅは、連続的に勾配されたエレクトロクロミックデバイスを例示するが、このような勾配は、切り換えが生じる期間を超えて維持されることができない。この結果、図４Ｄ及び図４Ｅは、過渡状態を反映し、定常状態を反映しない。先に言及されたように、状態の変化は電荷キャリアの移動に関わり、電荷キャリアが移動した後、電流は、切り換え中の最大電流と比較して実質的に減少する。この結果、切り換え動作が完了した後、バスバーの各々は、先細のバスバーのより狭い部分（図４Ｄ）、幅が離散ステップで狭くなる場合（図４Ｅ）でさえも、その長さに沿って相対的に均一な電圧を有する。この結果、切り換え中に存在する過渡連続勾配透過状態は、実質的に均一な透過状態になる。例えば、切り換えの１時間後、人間は、エレクトロクロミックデバイスのための光の透過率に対する任意の勾配を知覚することができない場合がある。
【００６１】
更なる設計が、電力消費を低減し、より高い柔軟性を提供し、若しくは接続を単純化するために有用となることができ、又はそれらの組み合わせで有用となることができる。透明導電層は、バスバーの線形抵抗のおよぼ１０倍の線形抵抗（オーム／メートル）を有することができる。バスバー間の間隙は、透明導電層が間隙間の抵抗として作用することを可能にし、連続勾配状態がバスバーに基づく間隙において維持されることを可能にする。間隙は、本体間又はバスバーの端部間の距離の少なくとも１０％の長さを有することができる。特許文献１は、異なる目的を果たすためのバスバー間の隙間を開示するが、間隙の長さは、側面に沿ってバスバーの端部間の距離の５％未満である。このような小さい間隙は、人間が連続勾配を視覚的に検出するための不充分なスペースを有し、この結果、人間は、離散勾配を観察するであろう。更に、隙間を有する設計は、バスバーの長さに沿って薄くなったり狭くなったりするようなカスタムバスバーを要求しない。
【００６２】
図１５は、別の実施形態による構造体１５００の部分的な分解された斜視図を含む。図１５を参照すると、構造体１５００は、基板１５０２及び１５０４と、透明導電層１５２２及び１５２８と、電極層１５２４及び１５２６とを含む。イオン導電層が存在することができるが、図１５には例示されない。透明導電層１５２２及び１５２８、電極層１５２４及び１５２６、並びにイオン導電層の組成は、先に説明されたような組成及びポリマー系の組成を有することができる。バスバー１５１６は、後続の層の何れかを形成する前に基板１５０２において形成されることができ、バスバー１５１８は、基板１５０４が基板１５０２と接合される前に層１５２８において形成されることができる。バスバー間に間隙１５５２及び１５５６が存在する。図１５におけるバスバー及び間隙の寸法に関するより詳細が、図１５の実施形態にまた存在することができる図１６に例示される追加の特徴を考察した後に説明される。動作中、下側バスバー１５１６及び１５１８は、０Ｖのような固定電位にあることができ、上側バスバー１５１２及び１５１４は、所望の光透過状態を達成するように選択されたそれらの電圧を有することができる。別の実施形態においては、上側バスバー１５１２及び１５１４は、０Ｖのような固定電位にあることができ、下側バスバー１５１６及び１５１８は、所望の光透過状態を達成するように選択されたそれらの電圧を有することができる。図１５に例示される実施形態においては、バスバー１５１２及び１５１４のパターンは、それらの対応する下側バスバー１５１６及び１５１８のパターンと一致する。また別の実施形態においては、バスバー１５１６及び１５１８は、基板１５０２の周囲に沿ってある単一のバスバーに置き換えられることができる。このような実施形態は、上側バスバー１５１２及び１５１４が形成されるまで配向及び透過パターンに関する決定を遅らせることができるので有用であってもよい。
【００６３】
図１６は、バスバー１６１２及び１６１４を含む構造体１６００の上面図を含む。電圧供給端子１６４２及び１６４４は、電気的接続がバスバー１６１２及び１６１４になされることを可能にする。図１５においては、バスバー１５１２、１５１４、１５１６、及び１５１８は、電圧供給端子１６４２及び１６４４と同様の電圧供給端子を有することができる。
【００６４】
図１６を参照すると、バスバー１６１２の延長部１６１６は、部分的にバスバー１６１４に延伸し、完全にはバスバー１６１４に延伸せず、バスバー１６１４の延長部１６１８は、部分的にバスバー１６１２に延伸し、完全にはバスバー１６１２に延伸しない。間隙１６５２（破線で例示される）が、バスバー１６１２及び１６１４の延長部１６１６と１６１８との間に存在する。図１６において例示される実施形態においては、延長部１６１６は、バスバー１６１２の本体１６１３からバスバー１６１４の本体１６１５の距離のおよそ１０％延伸し、延長部１６１８は、バスバー１６１４の本体１６１５からバスバー１６１２の本体１６１３の距離のおよそ１０％延伸する。この結果、間隙１６５２の長さは、本体１６１３と１６１５との間の距離のおよそ８０％である。
【００６５】
バスバーの延長部及びそれらの間の間隙は、異なる寸法を有することができる。図１５を参照すると、バスバー１５１２、１５１４、１５１６、及び１５１８の延長部は、対応するバスバーの主要部分間の距離のおよそ２８％同じレベルで延伸し、間隙１５５２及び１５５６の長さは、対応するバスバーの主要部分間の距離のおよそ４４％同じレベルであることができる。図１７に例示される実施形態においては、構造体１７００は、バスバー１７１２及び１７１４を含む。延長部１７１６は、バスバー１７１２の本体１７１３からバスバー１７１４の本体１７１５の距離のおよそ４０％延伸し、延長部１７１８は、バスバー１７１４の本体１７１５からバスバー１７１２の本体１７１３の距離のおよそ４０％延伸する。この結果、間隙１７５２の長さは、本体１７１３と１７１５との間の距離のおよそ２０％である。
【００６６】
必要に応じて又は所望であれば、バスバー及び間隙のより多くのセグメントが使用されることができる。図１８〜図２０は、図１５〜図１７における２本のバスバー以外に、上面から見て４本のバスバーを有する構造体の上面図を含む。図１８は、バスバー１８１２、１８１４、及び１８３２を含む。電圧供給端子１８７２が、バスバー１８３２に接続される。間隙１８５２が、バスバー１８３２とバスバー１８１２の延長部１８１６との間に配置され、間隙１８５４が、バスバー１８３２とバスバー１８１４の延長部１８１８との間に配置される。延長部１８１６は、バスバー１８１２の本体１８１３からバスバー１８１４の本体１８１５の距離のおよそ２５％延伸し、延長部１８１８は、バスバー１８１４の本体１８１５からバスバー１８１２の本体１８１３の距離のおよそ２５％延伸する。バスバー１８３２の長さの各々は、バスバー１８１２の本体１８１３からバスバー１８１４の本体１８１５の距離のおよそ２０％である。この結果、間隙１８５２及び１８５４の長さの各々は、バスバー１８１２の本体１８１３とバスバー１８１４の本体１８１５との間の距離のおよそ１５％である。
【００６７】
別の実施形態においては、延長部を有さないバスバーが使用されてもよい。図１９に例示される実施形態は、バスバーが延長部を有さないことを除いて図１８における実施形態と同じである。構造体１９００は、本体１９１３及び１９１５を有し、延長部を有さないバスバー１９１２及び１９１４を含む。本体１９１３及び１９１５の幅の各々は、本体間の距離のおよそ０．５％であることができる。間隙１９５２及び１９５４の長さの各々は、本体１９１３と１９１５との間の距離のおよそ４０％であることができる。図２０は、外部接続がバスバー１８３２になされないことを除いて図１８と同様である。この結果、動作中、バスバー１８３２は、バスバー１８１２の電圧とバスバー１８１４の電圧の間の電圧にあることができる。
【００６８】
図１５〜図２０を参照すると、間隙に沿ったエレクトロクロミックデバイスの部分は、連続勾配透過状態に維持されることができ、同じバスバーの一部である延長部間のような他の部分は、実質的に同じ透過状態にあることができる。図１６を参照すると、延長部１６１６間のエレクトロクロミックデバイスの上側部分は、相対的に均一で低い透過状態にあることができ、延長部１６１８間のエレクトロクロミックデバイスの下側部分は、相対的に均一で高い透過状態にあることができ、間隙１６５２間のエレクトロクロミックデバイスの中央部分は、上側部分により近い相対的に低い透過状態により近い透過状態から下側部分により近い相対的に高い透過状態により近い透過状態に変化する連続勾配透過状態にあることができる。
【００６９】
図１８を参照すると、延長部１８１６間のエレクトロクロミックデバイスの最上部分は、相対的に均一で低い透過状態にあることができ、延長部１８１８間のエレクトロクロミックデバイスの最下部分は、相対的に均一で高い透過状態にあることができ、バスバー１８３２間のエレクトロクロミックデバイスの中央部分は、最上部分の透過状態と最下部分の透過状態との間で相対的に均一で中間の透過状態にあることができる。間隙に沿った上側間隙部分１８５２は、最上部分の近くの相対的に低い透過状態により近い透過状態から中央部分の近くの中間の透過状態により近い透過状態に変化する連続勾配透過状態にあることができる。間隙に沿った下側間隙部分１８５４は、中央部分の近くの中間の透過状態により近い透過状態から最下部分の近くの相対的に高い透過状態により近い透過状態に変化する連続勾配透過状態にあることができる。より多くの又はより少ない相対的に均一な透過領域及び連続勾配領域が使用されることができる。相対的に均一な透過領域の数及び連続勾配領域の数は、特定の用途のための必要性又は要望に基づいて選択されることができる。
【００７０】
図１８と図２０とを比較する場合、図１８における実施形態は、電圧供給端子１８７２を使用するバスバー１８３２を制御するための能力に起因してより高い柔軟性を可能にする。特に、バスバー１８３２間の中央部分は、（延長部１８１６間の）上側部分と（延長部１８１８間の）下側部分との両方と比較して、より高い又はより低い透過状態にあることができる。
【００７１】
図１５〜図１８及び図２０に対して説明される各実施形態においては、バスバーの延在部は、互いに比較して、実質的に同じ長さを有し、間隙は、互いに比較して、実質的に同じ長さを有する。別の実施形態においては、構造体内で、バスバーの延長部は、互いに比較して、かなり異なる長さを有することができ、間隙は、互いに比較して、かなり異なる長さを有することができる。例えば、図１７を参照すると、左側の近くの延長部１７１６は、本体１７１３と１７１５との間の距離の４０％延伸してもよく、右側の近くの延長部は、本体１７１３と１７１５との間の距離の１０％延伸してもよい。更なる実施形態においては、延長部は、右側の近くの本体１７１３から延伸しなくてもよい。
【００７２】
バスバーの配向は変化することができる。図２１は、勾配が垂直方向に（長さに沿って）ではなく水平方向に（幅に沿って）配向することを可能にする。図２１においては、構造体２１００は、本体２１１３及び２１１５から延伸する延長部２１１６及び２１１８を有するバスバー２１１２及び２１１４を含む。電圧供給端子２１４２及び２１４４は、バスバー２１１２及び２１１４に接続される。間隙２１５２は、延長部２１１６と２１１８との間に配置される。図２１を参照すると、延長部２１１６間のエレクトロクロミックデバイスの左側部分は、相対的に均一で低い透過状態にあることができ、延長部２１１８間のエレクトロクロミックデバイスの右側部分は、相対的に均一で高い透過状態にあることができ、間隙２１５２間のエレクトロクロミックデバイスの中央部分は、左側部分の近くの相対的に低い透過状態により近い透過状態から右側部分の近くの相対的に高い透過状態によい近い透過状態に変化する連続勾配透過状態にあることができる。また別の実施形態においては、連続勾配は、長さのみに沿った方向又は幅のみに沿った方向以外の方向に配向する。例えば、連続勾配は、対向する角の間で斜め方向に配向してもよい。本明細書を解読した後、当業者は、連続勾配のための他の配向が使用されてもよく、このような配向が特定の用途のためのカスタムパターンを達成するために複雑であってもよいことを理解するであろう。
【００７３】
図２２は、図１６〜図１９における実施形態と比較して、このような実施形態の性能をより良好に理解することを手助けするための構造体２２００の実施形態を提供する。構造体２２００は、構造体の上部及び底部近くに本体２２１３及び２２１５を含むバスバー２２１０を有する。セグメント２２１６は、側面に沿っており、本体２２１３及び２２１５に延伸し、このようなセグメント２２１６は、本体２２１３及び２２１５と比較して、かなりより小さい断面積を有する。バスバー２２１０の本体２２１３及び２２１５に、電圧供給端子２２４２、２２４４が接続される。
【００７４】
図１６〜図１９及び図２２に例示されるような実施形態について、シミュレーションを行った。全てのデバイスは同じ面積を有した。全てのバスバーは、他のバスバーの幅の５０％であるより狭い側面部分（図２２の実例の上部と下部との間）を除いて、同じ幅を有した。バイアス条件に対して、最高透過状態はおよそ−０．５Ｖの電圧を有し、最低透過状態はおよそ＋３Ｖの電圧を有し、６％透過状態はおよそ＋２．０Ｖの電圧を有し、２０％透過状態はおよそ＋１．０Ｖの電圧を有した。電圧は、エレクトロクロミック層に結合されたバスバーに供給された電圧を引いたイオン導電層に結合されたバスバーに供給された電圧である。電圧変化と到達する定常状態との間の遷移時間は、１０分〜６０分の範囲にあることができる。デバイスが定常状態に到達した後に電力損失が読み取られた。結果が表３において以下に提示される。「ＬＴ」は最低透過状態を参照し、「ＨＴ」は最高透過状態を参照する。
【表３】
0006793855.tif 000004
【００７５】
表３のデータで見られるように、勾配モードにおける保持電力損失は、図２２と比較して、バスバー間の間隙が使用される場合に本質的によい低い。図１６〜図１９及び図２２における実施形態のためのＨＴ部分精度とＬＴ部分精度との間の差は同様である。ＬＴモードにおいては、図１８及び図１９における実施形態は、図２２と比較して、かなりより低い保持電力損失を有する。図１６の実施形態のためのＬＴ精度及びＬＴ均一性は、他の実施形態より高い。全体として、図１８及び図１９における実施形態は、ある状態に保持される場合に良好な電力節約、並びに良好なＬＴ及びＨＴ性能特性を提供する。
【００７６】
エレクトロクロミックデバイスは、連続勾配透過状態にある部分と、実質的に均一な透過状態を有する別の部分とを有することができる。連続勾配透過状態と実質的に均一な透過状態との間を遷移する正確な点は見ることは難しい場合がある。例えば、連続勾配透過状態を有する部分は、一方の端部において完全に脱色され、他方の端部において完全に着色されることができる。他の部分は、完全に脱色され、連続勾配部分の完全に脱色された端部の側に位置付けられてもよく、或いは、他の部分は、完全に着色され、連続勾配部分の完全に着色された端部の側に位置付けられてもよい。本明細書に説明される概念から逸脱することなく、部分間に離散勾配を有する実施形態が使用されてもよい。例えば、エレクトロクロミックデバイスは、完全に脱色された窓の上部の近くの部分と、窓の上部により近い完全に着色された透過状態から窓の底部の近くの完全に脱色された透過状態に連続的に勾配された残りの部分とを有することができる。このような実施形態は、グレアを減少させる一方で部屋内のより良好なカラーバランスを可能にするようにより多くの光を入れることを可能にするために有用であってもよい。更に別の実施形態においては、エレクトロクロミックデバイスは、実質的に均一な透過状態に維持される任意の部分なしに、連続勾配状態に維持されることができる。明らかに、エレクトロクロミックデバイスのための多くの異なる透過パターンが可能である。
【００７７】
多くの異なる態様及び実施形態が可能である。これらの態様及び実施形態の幾つかが以下に説明される。本明細書を解読した後、これらの態様及び実施形態は例示にすぎず、本発明の範囲を限定しないことを当業者は理解するであろう。例示的な実施形態は、以下に列挙されるようなもののうちの任意の１つ以上に従ってもよい。
【００７８】
実施形態１．装置は、エレクトロクロミックデバイスを含むことができ、エレクトロクロミックデバイスは、エレクトロクロミックデバイスの連続勾配透過状態を維持するように構成されている。
【００７９】
実施形態２．第１の一連のバイアス条件を有するエレクトロクロミックデバイスの少なくとも２７％に亘るエレクトロクロミックデバイスの第１の連続勾配透過状態、及び第２の一連のバイアス条件を有するエレクトロクロミックデバイスの第２の連続勾配透過状態であって、第１の連続勾配透過状態の鏡像である第２の連続勾配透過状態において、エレクトロクロミックデバイスを制御するように構成された制御デバイスを更に含む、実施形態１の装置。
【００８０】
実施形態３．第１の透明導電層と、本体を有し、第１の透明導電層に結合された第１のバスバーと、本体を有し、第１の透明導電層に結合された第２のバスバーと、第１のバスバーと第２のバスバーとの間の第１の間隙であって、第１のバスバーの本体と第２のバスバーの本体との間の距離の少なくとも１０％である第１の間隙とを更に含む、実施形態１又は２の装置。
【００８１】
実施形態４．第１のバスバーに結合された第１の電力供給端子と、第１のバスバーに結合された第２の電力供給端子と、第１及び第２の電力供給端子が同じ期間中に異なる電圧にあるように構成された制御デバイスとを更に含む、実施形態３の装置。
【００８２】
実施形態５．第１のバスバー、第２のバスバー、又は第１及び第２のバスバーの各々は、本体から延伸する延長部を含み、間隙は、本体と比較して延長部により近い、実施形態３又は４の装置。
【００８３】
実施形態６．第１の透明導電層に結合された第３のバスバーを更に含み、第１のバスバーは、第１の間隙によって第３のバスバーから離間し、第２のバスバーは、第２の間隙によって第３のバスバーから離間している、実施形態３〜５の何れか１つの装置。
【００８４】
実施形態７．第３のバスバーは、電圧供給端子又はワイヤに接続されていない、実施形態６の装置。
【００８５】
実施形態８．第２の透明導電層と、第２の透明導電層に結合された第３のバスバーと、第１の透明導電層と第２の透明導電層との間に配置されたエレクトロクロミック層とを更に含む、実施形態３〜５の何れか１つの装置。
【００８６】
実施形態９．第２の透明導電層に結合された第４のバスバーを更に含み、第１のバスバーは、第３のバスバーの上にあり、第２のバスバーは、第４のバスバーの上にある、実施形態８の装置。
【００８７】
実施形態１０．エレクトロクロミックデバイスに結合された第１のバスバーと、第１のバスバーに結合された第１の電力供給端子と、第１のバスバーに結合された第２の電力供給端子とを更に含み、制御デバイスは、第１及び第２の電力供給端子が同じ期間中に異なる電圧にあるように更に構成されている、実施形態１又は２の装置。
【００８８】
実施形態１１．エレクトロクロミックデバイスに結合された第２のバスバーを更に含む、実施形態１０の装置。
【００８９】
実施形態１２．第１及び第２のバスバーは、エレクトロクロミックデバイスの対向する側面に沿って位置付けられている、実施形態１１の装置。
【００９０】
実施形態１３．第２のバスバーに結合された第３の電力供給端子と、第２のバスバーに結合された第４の電力供給端子とを更に含み、同じ期間中、装置は、第３及び第４の電力供給端子が異なる電圧にあるように構成されている、実施形態１１又は１２の装置。
【００９１】
実施形態１４．第１のバスバーは、第１の方向に延伸する第１の長さを有し、第２のバスバーは、第２の方向に延伸する第２の長さを有し、第１及び第２の方向は、実質的に互いに平行である、実施形態１１又は１２の装置。
【００９２】
実施形態１５．第１及び第２の長さは実質的に同じである。実施形態１４の装置。
【００９３】
実施形態１６．装置は、第１、第２、第３、及び第４の電力供給端子のうちの少なくとも２つが期間中に実質的に同じ電圧にあるように構成されている、実施形態１３〜１５の何れか１つの装置。
【００９４】
実施形態１７．第１のバスバーは、第１の電力供給端子と第２の電力供給端子との間に実質的に均一な断面積を有する、実施形態１０〜１６の何れか１つの装置。
【００９５】
実施形態１８．第１のバスバーは、第１の電力供給端子と第２の電力供給端子との間に実質的に均一な組成を有する、実施形態１０〜１７の何れか１つの装置。
【００９６】
実施形態１９．エレクトロクロミックデバイスは、連続勾配透過状態に維持された第１の部分と、実質的に均一な透過状態に維持された第２の部分とを有するように構成されている、実施形態１及び１３〜１８の何れか１つの装置。
【００９７】
実施形態２０．エレクトロクロミックデバイスは、デバイスの任意の部分が連続勾配透過状態に維持される場合に、実質的に均一な透過状態に維持された任意の部分を有しないように構成されている、実施形態１及び１３〜１８の何れか１つの装置。
【００９８】
実施形態２１．エレクトロクロミックデバイスを含む装置を動作させる方法は、エレクトロクロミックデバイスを第１の透過状態から連続勾配透過状態に切り換えるステップであって、エレクトロクロミックデバイスを第１の透過状態から連続勾配透過状態に切り換える間に、エレクトロクロミックデバイスは最大又は平均の第１の電流を有する、ステップと、連続勾配透過状態を維持するステップであって、連続勾配透過状態を維持する間に、エレクトロクロミックデバイスは、最大又は平均の第２の電流を有し、最大又は平均の第２の電流は、最大又は平均の第１の電流より小さい、ステップとを含むことができる。
【００９９】
実施形態２２．エレクトロクロミックデバイスを連続勾配透過状態から第３の透過状態に切り換えるステップを更に含み、エレクトロクロミックデバイスは、エレクトロクロミックデバイスを連続勾配透過状態から第３の透過状態に切り換える間に、最大又は平均の第３の電流を有し、最大又は平均の第３の電流は、最大又は平均の第２の電流より大きい、実施形態２１の方法。
【０１００】
実施形態２３．第１及び第２の透過状態は同じ透過状態である、実施形態２２の方法。
【０１０１】
実施形態２４．第１及び第２の透過状態は異なる透過状態である、実施形態２２の方法。
【０１０２】
実施形態２５．エレクトロクロミックデバイスの本体内で、第１の状態は、実質的に均一な量の光透過率を有する、実施形態２１〜２４の何れか１つの方法。
【０１０３】
実施形態２６．装置は、第１の縁部と第１の縁部に対向する第２の縁部とを有するエレクトロクロミックデバイスと、第１の縁部に沿ってエレクトロクロミックデバイスに結合されている第１のバスバーと、第１のバスバーに結合されている第１の電力供給端子と、第１のバスバーに結合されている第２の電力供給端子と、第２の縁部に沿ってエレクトロクロミックデバイスに結合されている第２のバスバーと、第２のバスバーに結合されている第３の電力供給端子と、第２のバスバーに結合されている第４の電力供給端子とを含む、実施形態２１〜２５の何れか１つの方法。
【０１０４】
実施形態２７．第１の透過状態の間に、第１及び第２の電力供給端子は、実質的に第１の電圧にあり、第３及び第４の電力今供給端子は、実質的に第２の電圧にあって、連続勾配透過状態を維持する間に、第１及び第２の電力供給端子は、異なる電圧にあり、又は第３及び第４の電力供給端子は、異なる電圧である、実施形態２６の方法。
【０１０５】
実施形態２８．連続勾配透過状態を維持する間に、第２及び第３の電圧は、実質的に同じである、実施形態２６の方法。
【０１０６】
実施形態２９．連続勾配透過状態を維持する間に、第１及び第２の電圧は、異なる電圧である、実施形態２７の方法。
【０１０７】
実施形態３０．連続勾配透過状態を維持する間に、第１及び第４の電圧は、異なる電圧である、実施形態２９の方法。
【０１０８】
実施形態３１．連続勾配透過状態を維持する間に、第１、第２、第３、及び第４の電圧は、異なる電圧である、実施形態２７の方法。
【０１０９】
実施形態３２．第１及び第３の電力供給端子は、エレクトロクロミックデバイスの第３の縁部に隣接し、第２及び第４の電力供給端子は、エレクトロクロミックデバイスの第４の縁部に隣接し、連続勾配透過状態を維持する間に、第１及び第３の電力供給端子は、第１の平均電圧にあり、第２及び第４の電力供給端子は、第１の平均電圧の２０％、１５％、９％、又は５％以内の第２の平均電圧にある、実施形態２１の方法。
【０１１０】
実施形態３３．エレクトロクロミックデバイスを含む装置を動作させる方法であって、
装置を提供するステップであって、装置は、第１の透明導電層、本体を有し、第１の透明導電層に結合された第１のバスバー、本体を有し、第１の透明導電層に結合された第２のバスバー、及び第１のバスバーと第２のバスバーとの間の間隙であって、第１のバスバーの本体と第２のバスバーの本体との間の距離の少なくとも１０％である間隙を含む、ステップと、第１のバスバーを第１の電圧にバイアスするステップと、第２のバスバーを第１の電圧とは異なる第２の電圧にバイアスするステップと、第１のバスバーを第１の電圧に維持し、且つ第２のバスバーを第２の電圧に維持するステップであって、間隙は、連続勾配透過状態を有するエレクトロクロミックデバイスの第１の部分に対応する、ステップとを含む方法。
【０１１１】
実施形態３４．第１のバスバーを第１の電圧に維持し、且つ第２のバスバーを第２の電圧に維持するステップは、第２のバスバーに隣接するエレクトロクロミックデバイスの第２の部分が第１の実質的に均一な透過状態を有するように行われる、実施形態３３の方法。
【０１１２】
実施形態３５．第１のバスバーを第１の電圧に維持し、且つ第２のバスバーを第２の電圧に維持するステップは、第１のバスバーに隣接するエレクトロクロミックデバイスの第３の部分が第２の実質的に均一な透過状態を有するように行われ、エレクトロクロミックデバイスの第１の部分は、エレクトロクロミックデバイスの第２の部分と第３の部分との間に配置されている、実施形態３４の方法。
【０１１３】
一般的な説明又は例において上記で説明された全ての動作が要求されるわけではなく、特定の動作の一部が要求されない場合があり、これらの説明されたものに加えて１つ以上の更なる動作が行われてもよいことに留意されたい。また更に、動作が列挙される順序は必ずしもそれらが行われる順序ではない。
【０１１４】
明確にするために、本明細書で別々の実施形態の文脈で説明された特定の特徴はまた、単一の実施形態において組合せで提供されてもよい。逆に、簡潔にするために、単一の実施形態の文脈で説明された様々な特徴はまた、別々に又は任意の部分的組合せで提供されてもよい。更に、範囲において記載された値への言及は、その範囲内のありとあらゆる値を含む。
【０１１５】
恩恵、他の利点、及び課題に対する解決策が、特定の実施形態に関して上記で説明された。しかし、恩恵、利点、課題に対する解決策、及び任意の恩恵、利点、若しくは解決策を生じさせ又はより顕著にさせてもよい任意の特徴が、任意又は全ての請求項の重要な、要求される、若しくは本質的な特徴として解釈されるべきではない。
【０１１６】
本明細書で説明された実施形態の詳述及び実例は、様々な実施形態の構造の一般的な理解を提供することが意図される。詳述及び実例は、本明細書で説明された構造又は方法を使用する装置及びシステムの全ての要素若しくは特徴の網羅的且つ包括的な説明としての役割を果たすことが意図されない。別々の実施形態はまた、単一の実施形態において組合せで提供されてもよく、逆に、簡潔にするために、単一の実施形態の文脈で説明された様々な特徴はまた、別々に又は任意の部分的組合せで提供されてもよい。更に、範囲において記載された値への言及は、その範囲内のありとあらゆる値を含む。本明細書を解読した後にのみ、多くの他の実施形態が当業者に明らかであろう。本開示の範囲から逸脱することなく、構造的置換、論理的置換、又は他の変化がなされてもよいように、他の実施形態が使用され、本開示から導き出されてもよい。従って、本開示は、限定ではなく例示とみなされるべきである。
【図１】
0006793855.tif 000005
【図２】
0006793855.tif 000006
【図３】
0006793855.tif 000007
【図４】
0006793855.tif 000008
【図５】
0006793855.tif 000009
【図６】
0006793855.tif 000010
【図７】
0006793855.tif 000011
【図８】
0006793855.tif 000012
【図９】
0006793855.tif 000013
【図１０】
0006793855.tif 000014
【図１１】
0006793855.tif 000015
【図１２】
0006793855.tif 000016
【図１３】
0006793855.tif 000017
【図１４】
0006793855.tif 000018
【図１５】
0006793855.tif 000019
【図１６】
0006793855.tif 000020
【図１７】
0006793855.tif 000021
【図１８】
0006793855.tif 000022
【図１９】
0006793855.tif 000023
【図２０】
0006793855.tif 000024
【図２１】
0006793855.tif 000025
【図２２】
0006793855.tif 000026